(57)【要約】【課題】バケット内で使用した場合に、複数本の操作棒の使い勝手を向上させると同時に、高い安全性を発揮することが可能な回転式支持台を提供する。【解決手段】円盤状の台座２の上に回転手段３を介して回転可能に設置される回転盤５と、回転盤５の周縁付近に設けられる縦部材６と、からなる回転体４と、操作棒を支持するために、回転体４の回転軸Ｃを中心として一定角度を空けて周縁５ａに取り付けられる複数の支持具７と、を備える。【選択図】図１
2018089707.tif 000002
【特許請求の範囲】
【請求項１】
盤状の台座の上に回転手段を介して回転可能に設置される回転盤と、この回転盤の周縁付近に設けられる縦部材と、からなる回転体と、
棒状体を支持するために、前記回転体の回転軸を中心として一定角度を空けて前記周縁又は前記縦部材に取り付けられる複数の支持具と、を備えることを特徴とする回転式支持台。
【請求項２】
前記回転盤は、前記縦部材を挟んで並列する上方回転盤及び下方回転盤から構成され、
前記支持具は、前記上方回転盤に設置される上方支持具と、前記回転軸の長手方向に沿って前記棒状体の長さより短い間隔を空けて前記下方回転盤に設置される下方支持具から構成され、
前記上方支持具及び前記下方支持具は、それぞれ、弾性変形して形成される凹部で前記棒状体を挟持する挟持体と、一端が前記挟持体の両端部に接続され他端が前記上方回転盤及び前記下方回転盤に固定される一対の支持体と、からなり、前記挟持体及び一対の前記支持体で囲まれる上方空間と下方空間が形成されることを特徴とする請求項１に記載の回転式支持台。
【請求項３】
前記支持具に支持された前記棒状体の取り外しを補助するために、複数の押し出しバーが複数の前記支持具に対応する位置にそれぞれ配置され、
前記押し出しバーは、前記上方空間に収容される上端と、前記下方空間に収容される下端と、前記上端及び前記下端を連結する体部と、からなり、
前記上端は、前記押し出しバーを前記上方回転盤へ近づける方向へ付勢する上方弾性体を介して前記上方回転盤に固定され、
前記下端は、前記押し出しバーを前記下方回転盤へ近づける方向へ付勢する下方弾性体を介して前記下方回転盤に固定され、かつ前記下方回転盤から遠ざかる方向へ突出する下方突出体が形成され、
この下方突出体へ、その上方から力が加えられる場合に、前記体部が前記下方弾性体の付近を支点として傾斜し、前記上端が前記凹部を消滅させるように前記挟持体に接触することを特徴とする請求項２に記載の回転式支持台。
【請求項４】
前記上方回転盤は、その天井面に載置部が設置され、
この載置部は、その上面が開放される箱状をなし、かつ内部に複数の区画を形成する仕切枠を備えることを特徴とする請求項２又は請求項３に記載の回転式支持台。
【請求項５】
前記支持具に支持された前記棒状体が、周囲に干渉することを防止するための干渉防止ガードが、前記台座に取り付けられることを特徴とする請求項１乃至請求項４記載のいずれか１項に記載の回転式支持台。
【発明の詳細な説明】
【技術分野】
【０００１】
本発明は、工具を容易に選択及び取り出し可能に支持する支持台に係り、特に、間接活線作業で使用されるバケット内に設置されることで、複数の操作棒の使い勝手を向上させることのできる回転式支持台に関する。
【背景技術】
【０００２】
従来、間接活線作業では、高所作業車に備えられたバケット内において、主に複数の操作棒を使用しており、この操作棒にそれぞれ複数種類の先端工具を付け替えることで、様々な作業の実施が可能となっている。
しかし、使用後の操作棒をバケット内に立てかけると、操作棒が傾斜したり、倒れたりすることから、操作棒が邪魔になるという課題があった。また、複数の操作棒同士が絡まり合って、使用したい操作棒を取り出すことが困難であり、その際に他の操作棒が作業者に当たって危険であるという課題もあった。
そこで、間接活線作業で使用されるものではないが、工具を収まりよく保持することができ、かつ各作業に使用する工具を作業手順に沿って間違いなく取り出すことが可能な先行技術が開発されており、それに関して既に発明が開示されている。
【０００３】
特許文献１には、「工具保持装置」という名称で、工場の組み立てラインにおいて、工具を使用する順に取り出すことのできる工具保持装置に関する発明が開示されている。
以下、特許文献１に開示された発明について説明する。特許文献１に開示された発明は、支持軸部と、この支持軸部に回転可能に保持され、外周部に複数の工具保持部が設けられる回転保持部と、所定の工具保持部に工具を取り付けるために設定された工具取付位置と、この工具保持部に取り付けられた工具を取り出すために設定された工具取出位置と、この工具取出位置に位置する工具保持部に取り付けられた工具を取り出したときに、回転保持部を回転させて、つぎに使用する工具が取り付けられた工具保持部が工具取出位置に位置するように回転させる回転手段と、を備えたことを特徴とする。
このような特徴を有する工具保持装置によれば、工具が順番に工具取出位置に移動してくるため、工具を間違えて取り出すことがなくなる。したがって、作業手順を間違えることなく効率のよい作業を繰り返し行うことができる。
【先行技術文献】
【特許文献】
【０００４】
【特許文献１】特開２００６−１２３０２９号公報
【発明の概要】
【発明が解決しようとする課題】
【０００５】
しかしながら、特許文献１に開示された発明においては、支持軸部に支持される回転保持部に工具保持部が設けられ、工具はそれぞれ工具保持部に吊り下げられることから、回転保持部が回転する際に、工具同士が衝突したり、工具が半径方向に広がることで周囲にその下端が衝突したりするおそれがある。そのため、このような発明は、狭小なバケット内で使用するには不向きであり、直ちにこの発明を間接活線作業の場面に適用することは困難であるものと考えられる。
【０００６】
本発明は、このような従来の事情に対処してなされたものであり、バケット内で使用した場合に、操作棒同士や操作棒と周囲との衝突を抑制可能に構成することで、複数本の操作棒の使い勝手を向上させると同時に、高い安全性を発揮することが可能な回転式支持台を提供することを目的とする。
【課題を解決するための手段】
【０００７】
上記目的を達成するため、第１の発明は、盤状の台座の上に回転手段を介して回転可能に設置される回転盤と、この回転盤の周縁付近に設けられる縦部材と、からなる回転体と、棒状体を支持するために、回転体の回転軸を中心として一定角度を空けて周縁又は縦部材に取り付けられる複数の支持具と、を備えることを特徴とする。
【０００８】
このような構成の発明において、支持具としては、例えば、棒状体を挟持して支持するとともに、支持された棒状体のうち、所望の棒状体を選択して取り外し可能な弾性変形体やクリップ、又はフックが考えられる。さらに、複数の支持具は、それぞれ支持された棒状体を揺動不能に支持する。
また、回転体としては、例えば、台座の上に回転手段を介して設置される回転盤と、この回転盤に下端が固定されて立設される筒状の縦部材からなる構成や、複数の棒状をなす縦部材と、この縦部材を挟んで並列する一対の回転盤からなり、全体として円筒形状をなす構成のものが考えられる。そして、回転体は、回転軸を中心として、時計回り及び反時計回りの両方向へ回転可能であるほか、これら両方向のいずれか一方のみに回転可能に構成される。
【０００９】
上記構成の発明においては、回転体は、回転軸を中心として自在に回転可能であるので、目的の支持具が作業者の手が届き易い位置に容易に移動する。
また、複数の支持具が、回転体の回転軸を中心として一定角度を空けて取り付けられるとともに、それぞれ支持された棒状体を揺動不能に支持することから、回転体が回転軸を中心として回転する場合、回転しない場合の双方において、棒状体同士の絡み合いや衝突が発生しなくなる。このうち、回転体が回転軸を中心として回転する場合においては、棒状体が作業員や周囲に接触することが防止される。
【００１０】
次に、第２の発明は、第１の発明において、回転盤は、縦部材を挟んで並列する上方回転盤及び下方回転盤から構成され、支持具は、上方回転盤に設置される上方支持具と、回転軸の長手方向に沿って棒状体の長さより短い間隔を空けて下方回転盤に設置される下方支持具から構成され、上方支持具及び下方支持具は、それぞれ、弾性変形して形成される凹部で棒状体を挟持する挟持体と、一端が挟持体の両端部に接続され他端が上方回転盤及び下方回転盤に固定される一対の支持体と、からなり、挟持体及び一対の支持体で囲まれる上方空間と下方空間が形成されることを特徴とする。
【００１１】
このような構成の発明においては、第１の発明の作用に加えて、１つの支持具対、すなわち上方支持具及び下方支持具により、１本の棒状体が縦部材の長手方向に沿った状態で支持される。すなわち、棒状体は、上方支持具及び下方支持具による２点で支持されるため、支持された状態における揺動が一層防止される。
また、凹部は、棒状体を上方支持具及び下方支持具の挟持体にそれぞれ押し付けることによって形成される。逆に、棒状体を凹部から引き出すと、挟持体が元の形状に復元し、凹部は消滅する。
【００１２】
さらに、第３の発明は、第２の発明において、支持具に支持された棒状体の取り外しを補助するために、複数の押し出しバーが複数の支持具に対応する位置にそれぞれ配置され、押し出しバーは、上方空間に収容される上端と、下方空間に収容される下端と、上端及び下端を連結する体部と、からなり、上端は、押し出しバーを上方回転盤へ近づける方向へ付勢する上方弾性体を介して上方回転盤に固定され、下端は、押し出しバーを下方回転盤へ近づける方向へ付勢する下方弾性体を介して下方回転盤に固定され、かつ下方回転盤から遠ざかる方向へ突出する下方突出体が形成され、この下方突出体へ、その上方から力が加えられる場合に、体部が下方弾性体の付近を支点として傾斜し、上端が凹部を消滅させるように挟持体に接触することを特徴とする。
【００１３】
このような構成の発明においては、第２の発明の作用に加えて、押し出しバーの上端が凹部を消滅させるように挟持体に接触すると、凹部による棒状体の挟持が解除される。そのため、この棒状体を手で持ち上げることができる。なお、下方突出体の上方から力を加えるには、下方突出体を足で踏み込むとよい。
【００１４】
そして、第４の発明は、第２又は第３の発明において、上方回転盤は、その天井面に載置部が設置され、この載置部は、その上面が開放される箱状をなし、かつ内部に複数の区画を形成する仕切枠を備えることを特徴とする。
このような構成の発明においては、第２又は第３の発明の作用に加えて、複数の区画の中には、棒状以外の形状をなす工具、例えば、棒状体の先端に装着する先端工具が保持される。
【００１５】
そして、第５の発明は、第１乃至第４のいずれかの発明において、支持具に支持された棒状体が、周囲に干渉することを防止するための干渉防止ガードが、台座に取り付けられることを特徴とする。
このような構成の発明においては、第１乃至第４のいずれかの発明の作用に加えて、凹凸部を備える棒状体を支持具で支持する場合等、棒状体の形状によっては、回転体が回転しない場合であっても支持具に支持された棒状体の一部が周囲に接触するおそれがあることから、干渉防止ガードによって、このような接触が防止される。周囲とは、回転式支持台の周辺に存在する作業員や壁面等の構造物が想定されるが、特定の物体に限定されるものではない。
【発明の効果】
【００１６】
第１の発明によれば、複数の支持具がそれぞれ棒状体を支持可能であることから、複数の棒状体を、例えばバケット内の角部にコンパクトにまとめて設置することができる。したがって、バケット内で棒状体同士が絡み合うことが解消され、これに起因する怪我の危険性を回避可能であるとともに、バケット内が乱雑になることを防止可能である。また、回転手段及び回転体が設けられることで、目的の支持具が作業者の手が届き易い位置に容易に移動することから、所望する棒状体を速やかに選択することができる。
したがって、第１の発明によれば、棒状体の使い勝手を向上させると同時に、高い安全性を発揮することが可能である。
【００１７】
第２の発明によれば、第１の発明の効果に加えて、上方支持具及び下方支持具によって、棒状体の揺動が一層防止されるため、例えば、支持具によって支持された棒状体同士が衝突したり、棒状体が周囲に衝突したりすることを防止できる。また、使用中の工具が誤って支持具に支持された棒状体に接触しても、この棒状体が落下し難く、安定的にこれを保持することができる。
また、棒状体の支持や取り外しは、いずれも手で棒状体を保持しつつ、これを押し込んだり引き出したりするという簡単な手順で可能なことから、棒状体を手早く交換することができる。
【００１８】
第３の発明によれば、第２の発明の効果に加えて、押し出しバーの下方突出体を足で踏み込むことにより、支持具による棒状体の支持を解除することができるため、さらに簡単に棒状体を取り外すことができる。
【００１９】
第４の発明によれば、第２又は第３の発明の効果に加えて、複数の区画の中に、例えば先端工具が保持される場合には、先端工具を落下させず、かつ整理して載置することができる。そのため、棒状体への先端工具の付け外しをスムーズに行うことができるとともに、先端工具全体を視認し易いという有利な効果を有する。
【００２０】
第５の発明によれば、第１乃至第４のいずれかの発明の効果に加えて、干渉防止ガードによって、支持具に支持された棒状体が周囲に接触することを防止できるので、干渉防止ガードを目安とすることができる。これにより、例えば、回転式支持台をバケットの角部に接近させて設置する際に、高い注意力を必要とすることなく台座を適切な位置に配置することが可能となる。
【図面の簡単な説明】
【００２１】
【図１】実施例に係る回転式支持台の側面図である。
【図２】図１におけるＡ−Ａ線矢視断面図である。
【図３】（ａ）及び（ｂ）は、それぞれ実施例に係る回転式支持台を構成する支持具の作用を説明するための斜視図である。
【図４】（ａ）及び（ｂ）は、それぞれ実施例に係る回転式支持台を構成する押し出しバーの作用を説明するための側面図である。
【図５】実施例に係る回転式支持台を構成する載置部を上方から視た場合の平面図である。
【図６】（ａ）及び（ｂ）は、それぞれ実施例の変形例に係る回転式支持台の側面図及び（ａ）におけるＢ−Ｂ線矢視断面図である。
【発明を実施するための形態】
【実施例】
【００２２】
本発明の実施の形態に係る実施例の回転式支持台について、図１乃至図６を用いて詳細に説明する。図１は、実施例に係る回転式支持台の側面図である。
図１に示すように、本実施例に係る回転式支持台１は、円盤状の台座２の上に回転手段３を介して回転可能に設置される環状の回転盤５と、この回転盤５の周縁５ａ付近に設けられる複数の柱状の縦部材６と、からなる回転体４と、棒状の操作棒５０（図３（ｂ），４参照）を支持するために、回転体４の回転軸Ｃを中心として一定角度θ(図２参照)を空けて回転盤５の周縁５ａに取り付けられる複数の支持具７と、を備える。
このうち、回転手段３は、台座２の上面に立設される支持軸３ａと、この支持軸３ａの上端に取り付けられるベアリング３ｂと、からなり、回転体４を回転可能に支持する。
次に、回転体４は、回転軸Ｃを中心として、時計回り及び反時計回りの両方向へ自在に回転可能である。なお、回転式支持台１は、間接活線作業に用いられるバケット内に設置される場合が多いことから、回転体４が回転する際の抵抗は、バケット自体の移動では回転せず、作業者が手で操作したときのみ回転する程度のものが望ましい。
また、回転盤５は、縦部材６を挟んで並列する上方回転盤５Ｕ及び下方回転盤５Ｌから構成される。
そして、支持具７は、上方回転盤５Ｕに設置される上方支持具７ａと、回転軸Ｃの長手方向に沿って操作棒５０の長さより短い間隔を空けて下方回転盤５Ｌに設置される下方支持具７ｂである。なお、支持具７に取り付けられる押し出しバー１１及び上方回転盤５Ｕに設置される載置部１５については、それぞれ図４及び図５を用いて、後に説明する。
【００２３】
次に、図２を用いて、本発明に係る回転式支持台１を構成する支持具について詳細に説明する。図２は、図１におけるＡ−Ａ線矢視断面図である。なお、図１で示した構成要素については、図２においても同一の符号を付して、その説明を省略する。また、載置部の一部の図示も省略する。
図２に示すように、上方支持具７ａは、弾性変形して形成される凹部８ｂ（図３参照）で操作棒５０を挟持する挟持体８と、一端９ａが挟持体８の端部８ａ，８ａに接続され他端９ｂが上方回転盤５Ｕに固定される一対の支持体９，９と、からなる。そして、挟持体８及び一対の支持体９，９で囲まれる上方空間１０Ｕが形成される。下方支持具７ｂ（図１参照）も、上方支持具７ａと同様に、挟持体８と、下方回転盤５Ｌに固定される一対の支持体９，９と、からなり、挟持体８及び一対の支持体９，９で囲まれる下方空間１０Ｌ（図４参照）が形成される。
【００２４】
さらに、図３を用いて、本発明に係る回転式支持台を構成する支持具についてより詳細に説明する。図３（ａ）及び図３（ｂ）はそれぞれ支持具の作用を説明するための斜視図である。なお、図１及び図２で示した構成要素については、図３においても同一の符号を付して、その説明を省略する。
図３（ａ）に示すように、挟持体８の端部８ａ，８ａと支持体９，９の一端９ａ，９ａは、それぞれ軸体９ｃ，９ｃによって連結される。そのため、端部８ａ，８ａは、この軸体９ｃ，９ｃを中心として一端９ａ，９ａに対しそれぞれ傾動可能となっている。
図３（ｂ）に示すように、上方支持具７ａにおいて、挟持体８の外側（図手前側）から操作棒５０が挟持体８に押し当てられると、挟持体８が湾曲して凹部８ｂが形成される。そのため、操作棒５０の上端５０ａは、上方空間１０Ｕの内部に収容されて、挟持体８と支持体９，９によって保持される。また、図示は省略するが、下方支持具７ｂにおいても、同様の操作を行うことにより、操作棒５０の下端５０ｂ(図４参照)は、下方空間１０Ｌの内部に収容されて、挟持体８と支持体９，９によって保持される。なお、複数の操作棒５０の直径はすべて一定ではない場合があるが、挟持体８が弾性体で形成されるため直径の異なる複数種類の操作棒５０を支持可能である。
【００２５】
続いて、図４を用いて、本発明に係る回転式支持台を構成する押し出しバーについて詳細に説明する。図４（ａ）及び図４（ｂ）はそれぞれ押し出しバーの作用を説明するための側面図である。なお、図１乃至図３で示した構成要素については、図４においても同一の符号を付して、その説明を省略する。また、支持具を構成する一対の支持体のうち、図面手前側の支持体の図示も省略する。さらに、複数の押し出しバーのうち、１個の押し出しバーのみを表示し、他の押し出しバーの表示は省略する。
図４（ａ）及び図４（ｂ）に示すように、回転式支持台１は、支持具７に支持された操作棒５０の取り外しを補助するために、押し出しバー１１が設けられる。この押し出しバー１１は、複数の支持具７に対応する位置にそれぞれ配置される。
【００２６】
各押し出しバー１１は、上方空間１０Ｕに収容される上端１１ａと、下方空間１０Ｌに収容される下端１１ｂと、上端１１ａ及び下端１１ｂを連結する体部１１ｃと、からなる。
上端１１ａは、押し出しバー１１を上方回転盤５Ｕへ近づける方向へ付勢する上方弾性体１３ａを介して上方回転盤５Ｕに固定され、かつ上方回転盤５Ｕから遠ざかる方向へ突出する上方突出体１２ａが形成される。また、下端１１ｂは、押し出しバー１１を下方回転盤５Ｌへ近づける方向へ付勢する下方弾性体１３ｂを介して下方回転盤５Ｌに固定され、かつ下方回転盤５Ｌから遠ざかる方向へ突出する下方突出体１２ｂが形成される。なお、上方突出体１２ａは、省略されても良い。また、上方弾性体１３ａ及び下方弾性体１３ｂは、いずれもコイルばねである。
また、下方弾性体１３ｂの直下には、下方突出体１２ｂの上方から力を加えた場合に、押し出しバー１１の下端１１ｂの一面を下方回転盤５Ｌの周縁５ａにより強く接触させるためのバンド１４が設けられる。このバンド１４は、例えば、合成樹脂やゴムといった材料で構成される。
【００２７】
続いて、図５を用いて、回転式支持台を構成する載置部について詳細に説明する。図５は載置部を上方から視た場合の平面図である。なお、図１乃至図４で示した構成要素については、図５においても同一の符号を付して、その説明を省略する。
まず、図１に示すように、上方回転盤５Ｕは、その天井面に載置部１５が設置される。
次に、図５に示すように、この載置部１５は、その上面が開放される箱状をなし、かつ内部に複数の区画１５ａ〜１５ｉを形成する仕切枠１５ｊを備える。
このような区画１５ａ〜１５ｉは、それぞれ種類の異なる先端工具を収容するために形成される。
【００２８】
上記構成の回転式支持台１においては、回転体４は、回転軸Ｃを中心として自在に回転可能であるので、作業者が手で上方回転盤５Ｕや縦部材６を把持し回転させることで、目的の支持具７が手の届き易い位置に容易に移動する。
また、複数の支持具７は、操作棒５０の上端５０ａ及び下端５０ｂをそれぞれ上方支持具７ａ及び下方支持具７ｂの２点で保持するため、操作棒５０が揺動不能に保持される。そのため、回転体４が回転軸Ｃを中心として回転する場合、回転しない場合の双方において、操作棒５０同士の絡み合いや衝突が発生しなくなる。このうち、回転体４が回転する場合においては、操作棒５０が遠心力によって回転盤５の外側に膨らむことがないので、作業員や周囲に接触することが防止される。
【００２９】
より詳細には、操作棒５０を上方支持具７ａ及び下方支持具７ｂの挟持体８の表面にそれぞれ押し付けると、挟持体８が湾曲して凹部８ｂが形成される。したがって、操作棒５０は凹部８ｂによってその内部に支持される。逆に、支持された操作棒５０を凹部８ｂの内部から引き出すと、挟持体８が元の形状に復元し、凹部８ｂは消滅する。これにより、操作棒５０の支持が解除され、これを手で持ち上げることができる。  
【００３０】
しかし、手で直接操作棒５０を掴んで引き出す以外にも、回転式支持台１には、複数の押し出しバー１１が設けられているので、押し出しバー１１を足で操作することにより、操作棒５０の支持を解除することができる。この操作について、図４を用いながら、以下に説明する。
まず、図４（ａ）に示すように、上方支持具７ａ及び下方支持具７ｂが操作棒５０の上端５０ａ及び下端５０ｂをそれぞれ保持しているとき、上方突出体１２ａの先端は、挟持体８の凹部８ｂに当接していない状態である。このとき、下方突出体１２ｂは、略水平に維持されている。
しかし、図４（ｂ）に示すように、この下方突出体１２ｂへ、その上方から矢印Ｆ１で示す力が加えられる場合に、体部１１ｃが下方弾性体１３ｂの付近、より正確には、バンド１４が取り付けられる付近の下端１１ｂを支点として傾斜し、矢印Ｆ２で示すように上端１１ａが挟持体８の裏面に接触する。その結果、凹部８ｂは消滅し、操作棒５０は上方空間１０Ｕから押し出され、操作棒５０の支持が解除される。なお、下方突出体１２ｂの上方から力を加えるには、下方突出体１２ｂを足で踏み込むと良い。また、バンド１４は、必ずしも備えられなくても良い。
【００３１】
以上説明したように、実施例に係る回転式支持台１によれば、複数の支持具７がそれぞれ操作棒５０を支持可能であることから、複数の操作棒５０をバケット内の角部にコンパクトにまとめて設置することができる。したがって、バケット内のスペースを有効に活用することができる。また、回転式支持台１を使用しない場合のように、バケット内で操作棒５０同士が絡み合うことや、絡み合った操作棒５０のうちの１本を引き出す際に他の操作棒５０が不意に飛び出すことが解消され、これに起因する怪我の危険性を回避可能であるとともに、バケット内が乱雑になることを防止可能である。
【００３２】
なお、従来のように、回転式支持台１を使用しない場合においては、使用する操作棒５０の本数が増加してくるとバケット内に収容しきれないため、一部を布製の収容袋に収容し、これをバケットの外壁に吊り下げることが行われていた。この場合、収容袋が不意に反転して収容された操作棒５０が落下したり、収容袋が電柱や電線に接触しないように、注意深くバケット回転式支持台１を移動させたりする必要があり、作業員の負担になるとともに、作業時間が延びるという課題があった。しかし、回転式支持台１をバケット内に設置することにより、複数の操作棒５０をすべてバケット内に収容することができるため、上記の課題は解決可能となった。
さらに、回転体４は、回転軸Ｃを中心として、時計回り及び反時計回りの両方向へ自在に回転可能であることから、目的の支持具７が作業者の手が届き易い位置に容易に移動可能である。そのため、所望する操作棒５０を速やかに選択して支持具７から取り出すことや、支持具７へ支持させることができる。
このように、回転式支持台１によれば、操作棒５０の使い勝手を向上させると同時に、高い安全性を発揮することが可能であり、さらに作業時間を短縮させることも可能である。
【００３３】
さらに、回転式支持台１によれば、操作棒５０の上端５０ａ及び下端５０ｂは、それぞれ、上方支持具７ａ及び下方支持具７ｂの凹部８ｂによってその内部に支持される場合における操作棒５０の揺動を防止することができる。そのため、例えば、支持具によって支持された操作棒５０同士が衝突したり、操作棒５０が周囲に衝突したりすることを防止できる。また、使用中の工具が誤って支持具７に支持された操作棒５０に接触しても、この操作棒５０が落下し難く、安定的にこれを保持することができる。
また、操作棒５０の支持や取り外しは、挟持体８が弾性変形することにより、いずれも手で操作棒５０を保持しつつ、これを押し込んだり引き出したりするという簡単な手順で可能なことから、操作棒５０を手早く交換することができる。
【００３４】
加えて、回転式支持台１によれば、手で操作棒５０を掴んで取り外し等をする以外にも、押し出しバー１１の下方突出体１２ｂを足で踏み込むことにより、支持具７による操作棒５０の支持を解除できるため、さらに簡単に操作棒５０を取り外すことができる。また、バンド１４により、押し出しバー１１の下端１１ｂの一面を下方回転盤５Ｌの周縁５ａにより強く接触させるから、押し出しバー１１が傾斜した状態を安定的に保持することができる。
【００３５】
続いて、回転式支持台１によれば、区画１５ａ〜１５ｉは、それぞれ種類の異なる先端工具を収容するため、先端工具を落下させず、かつ整理して載置することができる。そのため、操作棒５０への先端工具の付け外しをスムーズに行うことができるとともに、先端工具全体を視認し易いため、例えば先端工具がナイフであった場合に、その鋭利な刃先に手等が接触することを防止できる。
【００３６】
次に、図６を用いて、本実施例の変形例に係る回転式支持台について詳細に説明する。図６（ａ）及び図６（ｂ）は、それぞれ実施例の変形例に係る回転式支持台の側面図及び図６（ａ）におけるＢ−Ｂ線矢視断面図である。なお、図１乃至図５で示した構成要素については、図６においても同一の符号を付して、その説明を省略する。また、押し出しバーの図示も省略する。
図６（ａ）及び図６（ｂ）に示すように、実施例の変形例に係る回転式支持台１ａは、操作棒５０（図４参照）が、周囲に干渉することを防止するための干渉防止ガード１６が、台座２に取り付けられる。
干渉防止ガード１６は、湾曲した樹脂製の板体１６ａと、固定部材１６ｂと、からなる。板体１６ａは、回転軸Ｃを中心として角度φの範囲内に、支持具７から離れた状態で、複数の固定部材１６ａを介して台座２の外周面に固定される。より詳細には、角度φはほぼ９０度であり、干渉防止ガード１７は操作棒５０に先端工具を装着されている場合であっても、先端工具等に衝突しないように支持具７から間隔を空けて配置される。回転式支持台１ａにおけるこれ以外の構成及び作用は、回転式支持台１と同様である。
【００３７】
回転式支持台１ａによれば、回転式支持台１が発揮する効果に加えて、干渉防止ガード１６により、先端工具を装着した操作棒５０が、例えばバケットの内壁に衝突することを防止できるため、回転式支持台１ａをバケットの角部に接近させて設置する際に、高い注意力を必要としない。
【００３８】
なお、本発明の回転式支持台１，１ａの構造は実施例に示すものに限定されない。例えば、回転盤５は、環状であるほか、円板状や、または多角形状であっても良い。支持具７は、挟持体８と支持体９，９からなる以外に、クリップやフックで構成されても良い。また、上方回転盤５Ｕが省略され、縦部材６の上方に載置部１５が設けられても良い。このとき、上方支持具７ａは、載置部１５の下方の縦部材６に設けられる。さらに、縦部材６は、複数の柱状の部材からなる以外にも、１個の円筒体から構成されても良い。
【産業上の利用可能性】
【００３９】
本発明は、間接活線作業で使用される操作棒５０を保持可能であり、バケットの内部以外で使用される回転式支持台として適用可能である。また、本発明は、操作棒５０以外の棒体をも保持可能であり、バケットの内部以外で使用される回転式支持台としても適用可能である。
【符号の説明】
【００４０】
１，１ａ…回転式支持台  ２…台座  ３…回転手段  ３ａ…支持軸  ３ｂ…ベアリング  ４…回転体  ５…回転盤  ５ａ…周縁  ５Ｕ…上方回転盤  ５Ｌ…下方回転盤  ６…縦部材  ７…支持具  ７ａ…上方支持具  ７ｂ…下方支持具  ８…挟持体  ８ａ…端部  ８ｂ…凹部  ９…支持体  ９ａ…一端  ９ｂ…他端  ９ｃ…軸体  １０Ｕ…上方空間  １０Ｌ…下方空間  １１…押し出しバー  １１ａ…上端  １１ｂ…下端  １１ｃ…体部  １２ａ…上方突出体  １２ｂ…下方突出体  １３ａ…上方弾性体  １３ｂ…下方弾性体  １４…バンド  １５…載置部  １５ａ〜１５ｉ…区画  １５ｊ…仕切枠  １６…干渉防止ガード  １６ａ…板体  １６ｂ…固定部材  ５０…操作棒  ５０ａ…上端  ５０ｂ…下端
【図１】
2018089707.tif 000003
【図２】
2018089707.tif 000004
【図３】
2018089707.tif 000005
【図４】
2018089707.tif 000006
【図５】
2018089707.tif 000007
【図６】
2018089707.tif 000008